【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
先端側に外方に張り出した張出外縁部を持つ板状体、及び該板状体の手元側に取手を一体に設けてなるスコップであって、
前記板状体は、その下面側が地面に接したときテコ作用の支点をなす非平坦な底面と、前記張出外縁部に雑草保持用の凹所を備え、
該凹所は、前記外縁部の前記外方に向かって広幅に広がるラッパ形又はロート形の開口形状と、その開口は前記雑草の茎部以上の間口寸法（Ｌ）を有するものであることを特徴とする草取り兼用スコップ。
【請求項２】
前記凹所は、前記張出外縁部に沿って前記開口形状及び／又は前記間口寸法（Ｌ）が異なる複数を備えるものである請求項１に記載の草取り兼用スコップ。
【請求項３】
前記凹所は、前記張出外縁部の前記先端側に位置するもの程、その間口寸法が小さいものである請求項２に記載の草取り兼用スコップ。
【請求項４】
前記非平坦な底面は、前記取手の押し下げ及び捩じりによるテコ作用を同時に生じるように、前記板状体の縦方向と横方向の曲げによる膨出部を備えるものである請求項１〜３のいずれかに記載の草取り兼用スコップ。
【請求項５】
前記凹所は、その深さ（Ｈ）が間口寸法（Ｌ）の０．５〜１．２倍を備えるものである請求項３又は４に記載の草取り兼用スコップ。
【請求項６】
前記凹所の間口角度（θ）は、１４０°以上に設定されたものである請求項５に記載の草取り兼用スコップ。
【請求項７】
前記凹所の少なくとも上面側のエッジ部は、丸味を持つラウンドエッジで構成されてなる請求項１〜６のいずれかに記載の草取り兼用スコップ。
【手続補正２】
【補正対象書類名】明細書
【補正対象項目名】０１０
【補正方法】変更
【補正の内容】
【０１０】  すなわち、本願請求項１に係わる発明は、
先端側に外方に張り出した張出外縁部を持つ板状体、及び該板状体の手元側に取手を一体に設けてなるスコップであって、
前記板状体は、その下面側が地面に接したときテコ作用の支点をなす非平坦な底面と、前記張出外縁部に雑草保持用の凹所を備え、
該凹所は、前記外縁部の前記外方に向かって広幅に広がるラッパ形又はロート形の開口形状と、その間口は前記雑草の茎部以上の間口寸法（Ｌ）を有するものであることを特徴とする草取り兼用スコップ。
【手続補正３】
【補正対象書類名】明細書
【補正対象項目名】０１１
【補正方法】変更
【補正の内容】
【０１１】  更に、実施形態に係わる請求項２の発明は、前記凹所は、前記張出外縁部に沿って前記開口形状及び／又は間口寸法（Ｌ）が異なる複数を備えること、請求項３に係わる発明は、前記先端側に位置するもの程その間口寸法が小さいものであること、
請求書４に係わる発明は、前記非平坦な底面は、前記取手の押し下げ及び捩じりによるテコ作用を同時に生じるように、前記板状体の縦方向と横方向の曲げによる膨出部を備えるものであること、
請求項５に係わる発明は、前記凹所の深さ（Ｈ）が間口寸法（Ｌ）の０．５〜１．２倍であること、
請求項６に係わる発明は、前記凹所の間口角度（θ）が１４０°以上に設定されたものであること、
更に請求項７に係わる発明は、前記凹所の少なくとも上面側のエッジ部は、丸味を持つラウンドエッジで構成されてなること、を各々特徴とする前記草取り兼用スコップである。
【手続補正４】
【補正対象書類名】明細書
【補正対象項目名】０１４
【補正方法】変更
【補正の内容】
【０１４】  また請求書２及び３に係わる発明によれば、前記凹所はその形状や大きさの異なる複数を備えること、先端側ほど小さいものであるため操作しやすく、また雑草の種類や大きさ、あるいはその植生状態などに応じて適宜選択でき、わざわざ別の用具を持ち替えることもなくそのまま使用でき、
請求項４に係わる発明によれば、前記膨出部による非平坦な底面によって、前記テコ作用は前記取手の押し下げや捩じりを同時に加えることができるため、使用場所の制限を受けることがなく、
請求項５及び６に係わる発明によれば、雑草の保持と抜去後の取り外しが容易に行なえ、また該板状体自体の強度低下を抑えることができ、
更に請求項７に係わる発明によれば、前記凹所の上面側は、丸味を持つラウンドエッジで構成されるものである為、雑草を抜去する際に茎部が不用意に切断することが防止できる。
【手続補正５】
【補正対象書類名】明細書
【補正対象項目名】０１６
【補正方法】変更
【補正の内容】
【０１６】    以下に、本発明の実施形態の一例を図面に沿って説明する。
前記するように、本発明は先端側に外方に張り出した張出外縁部Ａを持つ板状体２と、その手元側に設けた取手３で構成され、
その板状体２は、その下面が地面に接したときテコ作用の支点Ｓをなすように非平坦な底面とし、かつ前記張出外縁部Ａに雑草保持用の凹所４を設けるとともに、該凹所４はその外方に向かって広幅に広がるラッパ形又はロート形の開口形状と、抜去する雑草の茎部以上の間口寸法Ｌを持つ草取り兼用スコップ１を対象にする。
【手続補正６】
【補正対象書類名】明細書
【補正対象項目名】０２０
【補正方法】変更
【補正の内容】
【０２０】  本形態では、前記外縁部Ａは前記板状体２の先端側から略１／２程度の縦方向長さの範囲に設け、かつその外縁部Ａに沿って大きさが異なる複数の前記凹所４ａ，４ｂ・・・を配置したものを示す。その場合、該凹所４は先端側に位置するものほど間口寸法（Ｌ）が小さなものを配し、手元側に向かってより大きくすることで、作業者は雑草の種類や太さ、場所に応じてわざわざ持ち替えることなく、任意の凹部４を選択することで使い分けされる。
【手続補正７】
【補正対象書類名】明細書
【補正対象項目名】０２７
【補正方法】変更
【補正の内容】
【０２７】  次に前記凹所４について説明する。
凹所４は、前記するように張出外縁部Ａの輪郭線に沿って、その線上の所定位置に設けられ、その開口部５が前記外方に向かって広幅に広がるようにラッパ形やロート形に切り欠きされた開口形状と、前記雑草の茎部以上の間口寸法（Ｌ）を有するものとしている。
【手続補正８】
【補正対象書類名】明細書
【補正対象項目名】０２８
【補正方法】変更
【補正の内容】
【０２８】  その間口角度θが鈍角になるように、図３は該凹所４の拡大図を示し、これに見られるように、該切り欠き部は、その外側に向かって徐々に広幅になるようにその間口角度θを大きく設定している。その角度θは、例えば９０°以上の鈍角にして雑草の収納が容易になるように前記ラッパ形（凹所４ｃ）や漏斗形（凹所４ｄ）として、円弧状の弧状面や小刻みに折れ曲がった屈折面で構成できるし、必要ならばこれらを適宜組み合わせた複合面で形成することもできる。
【手続補正９】
【補正対象書類名】明細書
【補正対象項目名】０２９
【補正方法】変更
【補正の内容】
【０２９】    その場合、前記間口角度θは、より好ましくは１４０°以上の滑らかな面になるように形成してもよく、また凹所４は、雑草の茎部を嵌め入れできるように、その間口寸法Ｌは、雑草茎部の太さ以下、例えば５〜８０ｍｍ程度で、またその深さＨは該間口寸法Ｌの１．２倍以下に設定することが好ましい。なお前記間口寸法（Ｌ）は同図３の凹所４ｃが示すように、間口角度θの場合と同様に張出外縁部で見掛的に描かれる仮想輪郭線ａ（一点細鎖線）上で乖離する、二つの向き合った乖離点（Ｘ，Ｘ）同士の幅寸法で示すことができる。
【手続補正１０】
【補正対象書類名】明細書
【補正対象項目名】０３５
【補正方法】変更
【補正の内容】
【０３５】  また前記凹所４は、その開口部５を滑らかな広幅になるようにして所定深さを有するものであり、雑草Ｚは容易にその内部に嵌め入れして、収容した雑草Ｚは図２のようにその上を軽く指Ｕで挟み、あるいは軽く押さえて保持したままテコ作用による引き上げ抜去ができ、また抜去後の取り外しも容易である。
【手続補正１１】
【補正対象書類名】図面
【補正対象項目名】図３
【補正方法】変更
【補正の内容】
【図３】
2019030283.tif 000001